(57)【要約】【課題】筐体に収納された電子機器の設置の自由度を向上させた上で、いずれの方向に設置した場合でも操作性やデザイン性が優れたものにする。【解決手段】薄板形状の第１筐体部１１０と、薄板形状の第１筐体部と接合された第２筐体部１２０とで筐体が構成された電子機器１００であって、薄板形状の第１筐体部と、第２筐体部とを、所定の段差を形成させて接合して、表面側に段差部１０１を形成させた。【選択図】図１
2008066884.tif 000002
【特許請求の範囲】
【請求項１】
薄板形状の第１筐体部と、前記薄板形状の第１筐体部と接合された第２筐体部とで筐体が構成された電子機器であって、
前記薄板形状の第１筐体部と、前記第２筐体部とを、所定の段差を形成させて接合して、表面側に段差部を形成させたことを特徴とする
電子機器。
【請求項２】
請求項１記載の電子機器において、
前記第１筐体部と前記第２筐体部とを接合した段差部に、機器の作動状態を点灯表示する発光部を備え、
前記段差部近傍の直交する２つの面に、前記発光部の発光出力部を備え、
前記第１筐体部と前記第２筐体部とが接合された面を、接合面と平行な方向で筐体を見た第１の視線と、前記第１筐体の薄板形状と直交する方向で筐体を見た第２の視線のいずれからも、前記発光部の表示が見えるようにしたことを特徴とする
電子機器。
【請求項３】
請求項２記載の電子機器において、
前記段差部近傍の直交する２つの面の発光出力部は、共通の発光素子からの光を、導光部材を介して導く構成としたことを特徴とする
電子機器。
【請求項４】
請求項２記載の電子機器において、
さらに、前記段差部近傍の直交する２つの面に、受光信号の入力部を備えたことを特徴とする
電子機器。
【請求項５】
請求項１記載の電子機器において、
前記表面側の段差部とは別に、裏面側にも段差部を形成させ、
前記裏面側の段差部に、入力端子及び／又は出力端子を配置したことを特徴とする
電子機器。
【発明の詳細な説明】
【技術分野】
【０００１】
本発明は、例えばテレビジョン受像機に接続して、映像信号の受信などを行う映像機器に適用して好適な電子機器に関する。
【背景技術】
【０００２】
映像機器などの電子機器においては、機器の動作状態をパイロットランプの点灯で表示させる構成とするのが一般的である。例えば、電源のオン・オフや待機状態であるスタンバイ状態を、パイロットランプの点灯や点滅、点灯色などで告知するようにしてある。この種のパイロットランプは、発光ダイオードを使用するのが一般的であり、その発光ダイオードからの光を、導光部材で、機器を構成する筐体の表面の発光部に導く構成としてある。
【０００３】
また、リモートコントローラで遠隔制御可能な機器の場合には、そのリモートコントローラから送信される赤外線信号を受光する受光部を、機器を構成する筐体の表面に配置して、その受光部で受光した赤外線信号を、機器内部の受光素子に入力させることが行われている。
【０００４】
特許文献１には、電子機器の前面パネル部に、機器の作動状態を表示するパイロットランプ部と、リモートコントロール信号（赤外線信号）の受光部とを設けることについての開示がある。
【特許文献１】特開平１１−２６１４９６号公報（図１）
【発明の開示】
【発明が解決しようとする課題】
【０００５】
ところで、従来のビデオデッキやチューナ装置などのテレビジョン受像機と接続して使用される映像機器は、テレビジョン受像機を載せるラック内の棚に載せて、いわゆる平積み状態で設置されるのが一般的であった。従って、機器が平積みされる状態で前面になるパネル部に、パイロットランプや赤外線信号の受光部を配置すれば、機器の動作状況が判り、また、機器のリモートコントロールも可能である。
【０００６】
これに対して、映像機器そのものの小型化や、テレビジョン受像機の薄型化などに伴って、従来とは異なる設置状況で映像機器が設置される場合が想定されている。例えば、薄型の平板状に筐体が構成された映像機器を壁に取り付けて、同じく壁に取り付けられた薄型のテレビジョン受像機と並べて配置するような場合が想定される。
【０００７】
このような設置を前提に機器を設計する場合には、薄型の平板状に構成された筐体の、その平板状の部分を、前面パネルとして、その前面パネルに、パイロットランプや赤外線信号の受光部を配置すればよい。
【０００８】
ところが、テレビラックなどの上に、同じ薄型の平板状に構成された映像機器を、テレビジョン受像機と並べて設置したい場合には、平板状の部分である前面パネル部を、横を向けて設置した方が、スペース効率がよい場合がある。しかしながら、このように前面パネル部を横を向けて設置した設置した場合には、パイロットランプや赤外線信号の受光部が横を向いてしまい、テレビジョン受像機の画面と向き合ったユーザは、パイロットランプの点灯状態を確認することは不可能になってしまう。また、赤外線信号の受光部についても、横を向いてしまい、正面からリモートコントローラでユーザが操作しても、機器の受光部に赤外線信号が届かず、リモートコントローラによる遠隔操作が不可能になってしまう。
【０００９】
これらの問題点を解決するためには、例えば機器の正面と側面の２つの面にパイロットランプを設けるようにすれば良いが、単純に２つの面に発光ダイオードなどで構成されるパイロットランプを設けるようにすると、それだけ機器構成が複雑化する問題がある。また、２つの面のそれぞれに、発光ダイオードなどで構成されるパイロットランプを設けると、機器状態を表示させるために２つの発光ダイオードを設けると、それだけ機器状態を表示するために要する電力が増加してしまう問題がある。
【００１０】
さらに、単純に２つの面にパイロットランプなどを配置しただけでは、機器を構成する筐体として、箱型の筐体に前面パネルが２つあるような状態となって、デザイン的に収まりが悪く、あまり好ましいデザインとは言えない状態になってしまう。
【００１１】
さらにまた、テレビジョン受像機などに接続される映像機器は、映像ケーブルや音声ケーブルなどでテレビジョン受像機、モニタ受像機、オーディオ機器などと接続する必要があるが、機器の設置状況の自由度が増すと、それらのケーブルが接続される端子部の配置についても、好ましい設置位置を選定するのが難しくなる問題がる。
【００１２】
即ち、箱型の筐体の前面パネルを常に前面に配置して設置される機器の場合には、その前面パネルを前面に配置して設置した場合に、後方となる面に映像端子や音声端子などを設置すれば、映像ケーブルや音声ケーブルなどが隠れるようになる。ここで、この機器の本来の前面パネル部を横を向けて、別の面を正面を向けて設置した場合には、本来、後方となる面に設置された映像端子や音声端子などが、正面から見て側面に配置されてしまう。従って、正面から見て端子部が見えてしまい、端子部に接続したケーブルについても見えてしまい、デザイン的にあまり好ましい状態ではなくなってしまう問題がある。
【００１３】
なお、ここまではテレビジョン受像機などと接続されて使用される映像機器の問題点について説明したが、筐体に収納されて構成される、オーディオ機器やその他の各種電子機器の場合でも同様な問題点がある。
【００１４】
本発明はかかる点に鑑みてなされたものであり、筐体に収納された電子機器の設置の自由度を向上させた上で、いずれの方向に設置した場合でも操作性やデザイン性が優れたものにすることを目的とする。
【課題を解決するための手段】
【００１５】
本発明は、薄板形状の第１筐体部と、薄板形状の第１筐体部と接合された第２筐体部とで筐体が構成された電子機器であって、薄板形状の第１筐体部と、第２筐体部とを、所定の段差を形成させて接合して、表面側に段差部を形成させたものである。
【００１６】
このようにしたことで、表面側の段差部の部分を利用して、配置角度が異なる２つの面に発光部などを配置できるようになる。
【発明の効果】
【００１７】
本発明によると、表面側の段差部の部分を利用して、配置角度が異なる２つの面に発光部などを配置できるようになり、設置の自由度を向上させた上で、いずれの方向に設置した場合でも、デザイン的に優れた機器形状とすることが可能となる。
【発明を実施するための最良の形態】
【００１８】
以下、本発明の一実施の形態を、添付図面を参照して説明する。
【００１９】
本実施の形態においては、有線又は無線のネットワークを経由して、映像データ及び音声データを受信し、その受信した映像データ及び音声データを、接続したテレビジョン受像機などの受像機に供給して、視聴できるようにした映像機器（映像受信装置）に適用したものである。映像受信装置で受信する映像データ及び音声データは、有線又は無線のＬＡＮと称されるネットワークを介して直接接続された映像送出装置（図示せず）から送出されたデータである。或いは、インターネットを経由して、離れた場所に存在する映像送出装置から送出されたデータを受信する場合もある。映像受信装置で受信する映像データ及び音声データは、例えばＭＰＥＧ２方式で圧縮符号化されたデータであり、そのデータの圧縮率は、伝送されるネットワークの伝送容量に応じて可変設定される。
【００２０】
また、本例の映像受信装置は、接続されたネットワークを経由して、映像送出装置を制御するデータを伝送することができる構成としてある。例えば、映像送出装置に内蔵されたチューナで受信するチャンネルや、映像送出装置に接続された記録装置で再生する映像コンテンツの選択などの制御を、映像受信装置側から可能としてある。これらの制御は、例えば、映像受信装置を遠隔制御するリモートコントローラの操作で可能である。本例の映像受信装置の接続例については後述する。
【００２１】
図１及び図２は、本例の映像受信装置１００が構成される筐体の外形形状を示したものである。図１は前面側を斜視図で示してあり、図２は後方側を斜視図で示してある。また、図３は、筐体を構成する樹脂部材を分解して示す分解斜視図である。
図１に示すように、本例の映像受信装置１００は、それぞれが樹脂成形された薄板状の第１筐体部１１０と第２筐体部１２０とを、接合させた筐体形状としてある。第２筐体部１２０は、第１筐体部１１０よりも若干厚い形状に構成してある。第１筐体部１１０と第２筐体部１２０とを接合して構成される映像受信装置１００は、筐体よりも幅が広いスタンド９０が下端に取り付けられて、直立できる構成としてある。本例の場合には、第１筐体部１１０の表面１１１や各端面１１２，１１３，１１４は、平滑な光沢面として形成させてあり、第２筐体部１２０の表面１２１や各端面１２２，１２３，１２４は、微小なシボを連続して形成させた、つや消し面として形成させてある。第１筐体部１１０と第２筐体部１２０とは、図３に分解して示すように、それぞれ別部材で形成させてあり、一体に接合させて組み立てる構成としてある。
【００２２】
ここで本例においては、第１筐体部１１０と第２筐体部１２０とを接合させる際に、前後に所定量ずらして、段差部１０１及び１０２を設けた状態で接合した形状としてある。このような接合状態は、あたかも２冊の本を、前後に多少ずらして重ねた状態である。しかも、第１筐体部１１０と第２筐体部１２０とで、表面を光沢状態とつや消し状態とに分けてあるので、２つの異なる箱がずれて接続させた状態となり、デザイン的に優れた形状になる。
【００２３】
具体的な形状に説明すると、薄板状の四角形状の第１筐体部１１０と、その第１筐体部１１０よりも若干厚みがある四角形状の第２筐体部１２０とを有する形状とし、図１に示すように、前面側で第２筐体部１２０が手前に突出させてあり、その手前に突出した第２筐体部１２０と、後退した第１筐体部１１０の端面１１２との間で、手前側の段差部１０１を構成させてある。また、図２に示すように、後方側で第１筐体部１１０が手前に突出させてあり、その手前に突出した第１筐体部１１０と、後退した第２筐体部１２０の端面１２４との間で、後方側の段差部１０２を構成させてある。
【００２４】
第１筐体部１１０と第２筐体部１２０との接合部には、透明板１３０を挟む構成としてある。透明板１３０は、厚さが数ｍｍ程度の透明なアクリル板などで構成されて、後述するように片面に塗装面１４０（図５参照）を形成してある。本例の場合には、第１筐体部１１０と第２筐体部１２０とを黒色の樹脂で成形させてあり（或いは黒色に塗装してあり）、透明板１３０の塗装面１４０についても、同じ色の黒色に塗装してある。透明板１３０は、図３に分解して示すように、Ｌ字形状で構成させてある。
【００２５】
透明板１３０は、前面側の段差部１０１で、第２筐体と一体になって露出しており、その段差部１０１で露出した面１３２とは反対側の透明板１３０を塗装面１４０としてある。従って、段差部１０１で露出した透明板１３０の面１３２は、光沢面となって、第１筐体部１１０の表面と連続した状態になっている。第１筐体部１１０と第２筐体部１２０とで挟まれた透明板１３０の端面１３１についても、光沢面となっている。
【００２６】
前面側の段差部１０１に露出した透明板１３０の面１３２の所定箇所（図１の例では下寄りの位置）には、縦に並んだ点灯窓部１３２ａ，１３２ｂ，１３２ｃが配置してある。点灯窓部１３２ａ，１３２ｂ，１３２ｃは、内部に配置された発光ダイオードからの点灯を外部に出力させる窓であり、表面１３２とは反対側の面の塗装層により窓を形成させてある。本例の点灯窓部１３２ａ，１３２ｂ，１３２ｃは、第１筐体部１１０の端面１１２と接する面から連続した位置としてある。図３に分解して示すように、段差部１０１で透明板１３０の裏側と当接する、第１筐体１１０側の補助板１１６にも、点灯窓部１３２ａ，１３２ｂ，１３２ｃと接する位置に、透孔１１６ａ，１１６ｂ，１１６ｃを形成させてある。
【００２７】
また、透明板１３０の端面１３１側にも、縦に並んだ点灯窓部１３１ａ，１３１ｂ，１３１ｃが配置してある。但し、この点灯窓部１３１ａ，１３１ｂ，１３１ｃは、筐体内部の光導部材（後述）により発光ダイオードからの光が導かれることで、結果的に点灯窓となる部分であり、透明板１３０の端面１３１に窓部と周囲を分ける機構や塗装膜などが存在するのではない。
【００２８】
これらの端面１３１側の点灯窓部１３１ａ，１３１ｂ，１３１ｃと、表面１３２側の点灯窓部１３２ａ，１３２ｂ，１３２ｃは、共通の発光ダイオードからの光が導かれて出力される構成としてある。即ち、点灯窓部１３１ａと点灯窓部１３２ａは、１つの発光ダイオード７１（図５）の光が出力され、点灯窓部１３１ｂと点灯窓部１３２ｂは、１つの発光ダイオード７２（図５）の光が出力され、点灯窓部１３１ｃと点灯窓部１３２ｃは、１つの発光ダイオード７３（図５）の光が出力される。１つの発光ダイオードの光を２つの窓部に導く構成については後述する。
【００２９】
これらの窓部の点灯は、映像受信装置１００の動作状態を点灯表示するものである。本例の場合、点灯窓部１３１ａと点灯窓部１３２ａは、ワイヤレス信号の受信状態を点灯又は点滅で表示する部分である。点灯窓部１３１ｂと点灯窓部１３２ｂは、有線ＬＡＮでの信号の受信状態を点灯又は点滅で表示する部分である。点灯窓部１３１ｃと点灯窓部１３２ｃは、映像受信装置１００の電源のオン状態やスタンバイ状態を点灯色などで表示する部分である。
【００３０】
また本例においては、図１に示すように、透明板１３０の表面１３２の各点灯窓部１３２ａ，１３２ｂ，１３２ｃの下側に、受光窓部１３２ｄが設けてあり、その受光窓部１３２ｄの内側の筐体内部に、赤外線信号の受光素子が配置してある。さらに、第２筐体部１２０の前面側の端面１２２の下側に、受光窓部１２２ｄが設けてあり、その受光窓部１２２ｄの内側の筐体内部に、赤外線信号の受光素子が配置してある。それぞれの受光素子で赤外線信号を受光すると、その受光した赤外線信号に対応した電気信号に変換されて、映像受信装置の制御部（図示せず）に供給される。本例の赤外線信号の受光素子は、リモートコントローラからのリモートコントロール信号としての赤外線信号を受光するためのものである。受光窓部１３２ｄの内側に配置される受光素子と、受光窓部１２２ｄの内側に配置される受光素子とは、本例の場合、個別の素子としてあるが、光導部材などを使用して、１つの受光素子で受光させるようにしてもよい。
【００３１】
第２筐体部１２０の端面１２２の受光窓部１２２ｄには、赤外線信号を透過させる樹脂部材が嵌めてある。透明板１３０の受光窓部１３２ｄについては、表面１３２とは反対側の面の塗装層により窓を形成させてある。段差部１０１で透明板１３０の裏側と当接する、第１筐体１１０側の補助板１１６にも、受光窓部１３２ｄと接する位置に、透孔１１６ｄを形成させてある。
【００３２】
このように、本例の場合には、映像受信装置１００の動作状態を点灯表示する点灯窓部が、それぞれほぼ９０°異なる方向である、透明板１３０の側面１３２上と、透明板１３０の端面１３１に配置してあり、さらに、リモートコントロール信号を受信（受光）する受光窓部についても、それぞれほぼ９０°異なる方向である、透明板１３０の側面１３２上と、第２筐体１２０の端面１２２上とに配置してある。
【００３３】
次に、第１筐体部１１０と第２筐体部１２０との後方側の段差部１０２の構成を、主として図２を参照して説明する。後方側の段差部１０２は、第１筐体１１０側が突出した構成であり、その突出した側面１１５の下側には、第１筐体部１１０の厚さが薄くなった湾曲部１１６が形成してある。この湾曲部１１７が形成してある箇所の、第２筐体１２０側の端面１２４には、各種端子が配置してある。本例の場合には、端子として、ＬＡＮ端子１２４ｂと、Ｓ映像出力端子１２４ｃと、映像出力端子１２４ｄと、右チャンネルの音声出力端子１２４ｅと、左チャンネルの音声出力端子１２４ｆと、電源入力端子１２４ｇとを備える。図２の例では、映像出力端子１２４ｄに映像ケーブルのプラグ６１を接続させてあり、右チャンネルの音声出力端子１２４ｅに音声ケーブルのプラグ６２を接続させてあり、左チャンネルの音声出力端子１２４ｆに音声ケーブルのプラグ６３を接続させてある。これらのケーブルの他端は、後述するテレビジョン受像機の映像入力端子及び音声入力端子に接続される。また、電源入力端子１２４ｇには、ＡＣアダプタが接続された電源プラグ６４を接続させてある。この図２から判るように、後方の段差部１０２の部分に端子が配置してあることで、段差部１０２で突出した筐体１１０で、ある程度、プラグやケーブルが隠れることになる。
【００３４】
また、第２筐体１２０の端面１２４の上側には、通気用の透孔部１２４ａが多数配置してある。第２筐体１２０の側面１２１にも、図２に示すように、通気用の透孔部１２１ａが配置してある。但し、図３に側面１２１を内側から示すように、通気用の透孔部１２１ａは、上下に２分割した構成としてあり、表面側ではその上下に２分割された透孔部が連続して見える構成のデザインとしてある。
【００３５】
図３及び図４に示すように、第１筐体１１０と第２筐体１２０とが一体に組み立てられた筐体は、第２筐体１２０の下面１２６に設けたスタンド用孔１２６ａ，１２６ｂに、スタンド９０の爪部９１，９２の先端を挿入することで、スタント９０が筐体に固定されて、筐体を直立状態で設置できる構成としてある。爪部９１，９２は、図３に示した突条９３で外側から見えないように構成してある。
【００３６】
次に、図５及び図６を参照して、端面１３１側の点灯窓部１３１ａ，１３１ｂ，１３１ｃと、表面１３２側の点灯窓部１３２ａ，１３２ｂ，１３２ｃに、発光ダイオードからの光を導く構成について説明する。
図５は、第１筐体１１０の前方の段差部１０１の裏側の一部を示した図である。この図５に示すように、第１筐体１１０の補助板１１６に、透孔１１６ａ，１１６ｂ，１１６ｃを形成させてあり、その３つの透孔１１６ａ，１１６ｂ，１１６ｃに嵌る形状の導光部材８０を取り付けてある。
【００３７】
導光部材８０は、平面板８１に、３つの導光用突起８２，８３，８４が直交する状態で一体的に樹脂成形された形状としてあり、透明樹脂で成形させてある。平面板８１には、第１筐体部に固定させるための透孔８１ａ，８１ｄを形成させてあり、図５に示したように、第１筐体部１１０側の補助板１１６側の突起１１６ｇを嵌めて固定させる。また、図６に示すように、導光用突起８２と導光用突起８３との間に溝部８１ｂを形成させてあり、導光用突起８３と導光用突起８４との間に溝部８１ｃを形成させてある。これらの溝部８１ｂ及び８１ｃは、補助板１１６側に取り付けられた場合に、補助板１１６側に設けられた仕切り板１１６ｅ及び１１６ｆが嵌る構成としてある。このように各導光用突起８２，８３，８４の間に仕切り板１１６ｅ及び１１６ｆが配置されることで、各導光用突起８２，８３，８４間で光が漏れることを防いでいる。
【００３８】
各導光用突起８２，８３，８４は、図６に示すように一端部が光入力部８２ａ，８３ａ，８４ａとなり、他端部が第１の光出力部８２ｂ，８３ｂ，８４ｂとなる。また、各導光用突起８２，８３，８４と平面板８１との接続部の近傍に、第２の光出力部８２ｃ，８３ｃ，８４ｃを用意してある。第１の光出力部８２ｂ，８３ｂ，８４ｂと第２の光出力部８２ｃ，８３ｃ，８４ｃとは、９０°直交する位置関係である（図７参照）。
【００３９】
このように構成される導光部材８０を、図５に示すように第１筐体部１１０に取り付けた場合には、補助板１１６と端面１１２との交差部に形成した透孔１１６ａ，１１６ｂ，１１６ｃに、３つの突起８２，８３，８４の第１の光出力部８２ｂ，８３ｂ，８４ｂ側が嵌る状態となる。そして図５に破線で示すように、各突起８２，８３，８４の光入力部８２ａ，８３ａ，８４ａの近傍に、発光ダイオード７１，７２，７３が配置される。このような構成としてあることで、それぞれの発光ダイオード７１，７２，７３からの光が、光入力部８２ａ，８３ａ，８４ａから導光部材８０内に光Ｌ１１，Ｌ２１，Ｌ３１として入射する。
【００４０】
図５では、補助板１１６と透明板１３０とを離した状態で示してあるが、組み立てられた状態では、第１の光出力部８２ｂ，８３ｂ，８４から出力される光Ｌ１２，Ｌ２２，Ｌ３２が、透明板１３０の端面１３４に入射して、透明板１３０の反対側の端面１３１から光Ｌ１３，Ｌ２３，Ｌ３３として出力される。この光Ｌ１３，Ｌ２３，Ｌ３３が出力される箇所が、図１に示した点灯窓部１３１ａ，１３１ｂ，１３１ｃである。
【００４１】
さらに、第２の光出力部８２ｃ，８３ｃ，８４ｃから出力される光Ｌ１４，Ｌ２４，Ｌ３４が、透明板１３０の塗装面１４０から入射する。塗装面１４０には、不塗装部１４１，１４２，１４３が、光出力部８２ｃ，８３ｃ，８４ｃに対応して設けてあり、その不塗装部１４１，１４２，１４３を通過して、透明板１３０の反対側の面１３２から出力される光Ｌ１５，Ｌ２５，Ｌ３５となる。この光Ｌ１５，Ｌ２５，Ｌ３５が出力される箇所が、図１に示した点灯窓部１３２ａ，１３２ｂ，１３２ｃである。
【００４２】
これらの光の入出力状態を、断面で示したものが図７である。図７は、導光部材８０の突起８２の部分を断面で示してあるが、他の突起８３，８４の断面も同一の形状である。図７に示すように、回路基板７０に発光ダイオード７１（７２，７３）は取り付けてあり、この発光ダイオードからの光Ｌ１１が入射することで、２方向の点灯窓部１３１ａ及び１３２ａから光Ｌ１３、Ｌ１５が出力される。また、２方向の点灯窓部１３１ａ及び１３２ａの位置は、比較的離れた位置となる。
【００４３】
このように筐体が構成される映像受信装置１００を用意することで、その映像受信装置１００を、種々の形態で設置することが可能となる。
図８、図９は、それぞれ別の設置例を示した図である。例えば図８に示すようにテレビジョン受像機１０の右脇に、端面１１２及び１２２を手前に向けて設置した例である。このような場合、段差部１０１の点灯窓部１３１ａ，１３１ｂ，１３１ｃが正面を向き、テレビジョン受像機１０の画面と向き合ったユーザは、点灯窓部１３１ａ，１３１ｂ，１３１ｃの点灯表示を確認することができる。そして、映像受信装置１００に対してリモートコントローラ２０からリモートコントロール信号ＩＲを送信する場合には、正面を向いた受光窓部１２２ｄで受光され、リモートコントローラ２０による操作も良好に行える。また、この図８に示す設置状態では、後方の段差部１０２に端子部を配置してあるために、テレビジョン受像機１０などと接続するためのコード類は、段差部１０２の第１筐体部１１０側の突起で隠れることになり、コードがほとんど見えることがない。
【００４４】
図９の例は、映像受信装置１００の設置角度を、図８とは９０°配置を変えた例である。この例では、テレビジョン受像機１０の左脇に設置した例としてある。このような位置関係とすると、段差部１０１の点灯窓部１３２ａ，１３２ｂ，１３２ｃが正面を向き、テレビジョン受像機１０の画面と向き合ったユーザは、点灯窓部１３２ａ，１３２ｂ，１３２ｃの点灯表示を確認することができる。そして、映像受信装置１００に対してリモートコントローラ２０からリモートコントロール信号ＩＲを送信する場合には、正面を向いた受光窓部１３２ｄで受光され、リモートコントローラ２０による操作も良好に行える。また、この図９に示す設置状態の場合にも、後方の段差に端子部を配置してあるために、テレビジョン受像機１０などと接続するためのコード類は、段差部１０２の第１筐体部１１０側の突起である程度隠れることになる。
【００４５】
このように本例の映像受信装置１００として適用した筐体形状とすることで、第１筐体部１１０と第２筐体部１２０とを前後にずらして接合した形状として、前面側の段差部１０１の角の部分に、パイロットランプとして機能する点灯部や赤外線信号の受光部を配置したことで、２つの方向での発光や受光を良好に行うことができ、デザイン的にも段差部１０１に配置したことで、２つの方向に発光部や受光部があることが違和感なく収まっている。また、後方の段差部１０２に各種端子部を配置したことで、図８、図９のいずれの方向に設置した場合でも、端子部に接続したプラグやコードを隠すことができ、この点からもデザイン的に優れたものとなる。
【００４６】
なお、ここまで説明した実施の形態では、映像データなどをネットワークを経由して受信する映像機器である映像受信装置の筐体に適用した例としたが、その他の各種電子機器用の筐体を、同様の構成としてもよい。
【図面の簡単な説明】
【００４７】
【図１】本発明の一実施の形態による装置を構成する筐体の例を前面側から示す斜視図である。
【図２】本発明の一実施の形態による装置を構成する筐体の例を後方側から示す斜視図である。
【図３】図１例の筐体を分解して示す分解斜視図である。
【図４】図１例の筐体の下面を示す斜視図である。
【図５】図１例の筐体内への導光部材の取付け状態を示す一部破断斜視図である。
【図６】図５例で取付け状態を示した導光部材を示す斜視図である。
【図７】本発明の一実施の形態による発光ダイオードからの光の出力状態を示した断面図である。
【図８】本発明の一実施の形態による装置の配置例（例１）を示す説明図である。
【図９】本発明の一実施の形態による装置の配置例（例２）を示す説明図である。
【符号の説明】
【００４８】
１０…テレビジョン受像機、２０…リモートコントローラ、７０…回路基板、７１，７２，７３…発光ダイオード、８０…導光部材、９０…スタンド、１００…映像受信装置、１０１，１０２…段差部、１１０…第１筐体部、１２０…第２筐体部、１２２ｄ…受光窓部、１２４ｂ…ＬＡＮ端子、１２４ｃ…Ｓ映像出力端子、１２４ｄ…映像出力端子、１２４ｅ，１２４ｆ…音声出力端子、１２４ｇ…電源入力端子、１３０…透明板、１３１ａ，１３１ｂ，１３１ｃ，１３２ａ，１３２ｂ，１３２ｃ…点灯窓部、１３２ｄ…受光窓部、１４０…塗装面、１４１，１４２，１４３…不塗装部
【図１】
2008066884.tif 000003
【図２】
2008066884.tif 000004
【図３】
2008066884.tif 000005
【図４】
2008066884.tif 000006
【図５】
2008066884.tif 000007
【図６】
2008066884.tif 000008
【図７】
2008066884.tif 000009
【図８】
2008066884.tif 000010
【図９】
2008066884.tif 000011